(57)【要約】【課題】本発明は再加工し易く、良好な電磁遮蔽の効果を有するコネクタモジュールを提供する。【解決手段】本発明のコネクタモジュールは、信号コンバータを回路基板に電気的に接続する。該コネクタモジュールは、ハウジングと、コネクタと、移動可能な蓋体とを備える。前記ハウジングは、回路基板に挿入される複数の押圧端子と、信号コンバータを収容する複数の収容穴と、頂部開口と、頂部開口を貫通し、コネクタを収容する複数の収容槽と、複数の隔板と、セパレータとを有する。該収容穴と収容槽は、隔板とセパレータによって形成される。前記コネクタは、複数の収容槽に収容され、前記回路基板に挿入される複数の導電端子と、信号コンバータに対応する複数の端口とを有する。前記蓋体は、頂部開口をカバーする。【選択図】図１
2006228701.tif 000002
【特許請求の範囲】
【請求項１】
信号コンバータを回路基板に電気的に接続するコネクタモジュールにおいて、
回路基板に挿入される複数の押圧端子と、信号コンバータを収容する複数の収容穴と、頂部開口と、頂部開口と貫通する複数の収容槽とを有するハウジングと、
複数の収容槽に収容され、回路基板に挿入される複数の導電端子を有するコネクタと、頂部開口をカバーし、且つ移動可能な蓋体と
を備えることを特徴とするコネクタモジュール。
【請求項２】
前記コネクタは、前記導電端子が収容される複数の端口と、上下両側に対称に配置され、弾力アームが設けられる一対の当接部と、一対の凹槽とを有することを特徴とする請求項１に記載のコネクタモジュール。
【請求項３】
前記コネクタモジュールは、コネクタの凹槽に接して移動可能で、且つコネクタの弾力アームに押し付けられる複数の固定部品を有することを特徴とする請求項２に記載のコネクタモジュール。
【請求項４】
前記ハウジングは、開槽を開設する弾力片が設けられた隔板を有することを特徴とする請求項３に記載のコネクタモジュール。
【請求項５】
前記固定部品は、前記開槽に係合される凸塊が設けられた弾力部を有することを特徴とする請求項４に記載のコネクタモジュール。
【請求項６】
前記コネクタは、頂部開口から抜き出すことができることを特徴とする請求項１に記載のコネクタモジュール。
【請求項７】
前記蓋体は、ハウジングに設けられた係合部と係合される係合槽を含むことを特徴とする請求項１に記載のコネクタモジュール。
【請求項８】
前記蓋体には、ハウジングに開設された円孔に嵌め込まれる凸点が設置されていることを特徴とする請求項７に記載のコネクタモジュール。
【請求項９】
前記ハウジングには、複数の橋状体と凹みが設けられていることを特徴とする請求項１に記載のコネクタモジュール。
【請求項１０】
信号コンバータを回路基板に電気的に接続するコネクタモジュールにおいて、
複数の隔板と、セパレータとを有するハウジングと、
ハウジングに収容され、信号コンバータに対応する複数の端口が設けられたコネクタと、
移動可能な蓋体とを備え、
前記ハウジングには、隔板とセパレータによって、信号コンバータを収容する複数の収容穴と、コネクタを収容する複数の収容槽とが形成され、前記蓋体は、収容槽をカバーすることを特徴とするコネクタモジュール。
【請求項１１】
前記ハウジングは、頂壁を有し、前記セパレータには、ハウジングの頂壁から延伸し、該頂壁に固着される固定片が設置されていることを特徴とする請求項１０に記載のコネクタモジュール。
【請求項１２】
前記セパレータには、回路基板に電気的に接続される複数の押圧端子が設けられていることを特徴とする請求項１０に記載のコネクタモジュール。
【請求項１３】
前記ハウジングには、前記押圧端子と対応する複数対の定位片が設けられていることを特徴とする請求項１２に記載のコネクタモジュール。
【請求項１４】
前記コネクタには、回路基板に挿入される複数の導電端子が設置されていることを特徴とする請求項１０に記載のコネクタモジュール。
【請求項１５】
前記コネクタは、一対の凹槽と、弾力アームが設けられた当接部とを有することを特徴とする請求項１０に記載のコネクタモジュール。
【請求項１６】
前記コネクタモジュールは、前記収容穴に収容され、前記コネクタに当接される複数の固定部品を有することを特徴とする請求項１５に記載のコネクタモジュール。
【請求項１７】
前記固定部品は、前記一対の凹槽に接する一対のフランジと、収容穴の開口をカバーする前壁とを有することを特徴とする請求項１６に記載のコネクタモジュール。
【請求項１８】
前記信号コンバータ、或いは固定部品は、弾力アームによって、ハウジングから滑り出され得ることを特徴とする請求項１６に記載のコネクタモジュール。
【発明の詳細な説明】
【技術分野】
【０００１】
本発明はコネクタモジュールに関し、特に、高速で最適な信号伝送を実現することができる、電子装置に取り付けるためのコネクタモジュールに関するものである。
【背景技術】
【０００２】
従来のトランシーバー（Small Form-Factor Pluggable Transceiver, SFP transceiver）は、コンバーターとして、電気伝送線と光伝送線の間に電気的接続を提供する。トランシーバーは、ハウジングに収容され、回路基板に取り付けられる。そうすると、電磁干渉を防止できる。
【０００３】
ある種のトランシーバーは、ハウジングと、該ハウジングに収容されるコネクタと、ハウジングを覆う蓋体とを備えている。コネクタは、回路基板に挿入される複数の導電端子を有する。蓋体には、ハウジングに設けられる複数の凸塊と係合される複数の凹槽が開設される。ところが、該コネクタとハウジングは、再加工することが難しい。又、凸塊と凹槽が互いに係合されるだけだと、蓋体は、緊密にハウジングに固着されにくい。そうすると、ハウジングは、良好な電気的特性を有しにくい。そのようなトランシーバーの構造は特許文献１に記載されている。
【０００４】
コネクタを収容する他のトランシーバーケージは、金属板を折り曲げて製作される。該トランシーバーケージには、回路基板に電気的に接続される複数の導電端子が設けられる。ケージは、重なる二つのフランジを有する。そのうちのフランジには、複数の係合塊が設けられ、他のフランジには、係合塊に係合される複数の係合槽が開設される。コネクタを取り外す時、係合塊が、対応する係合槽から出される。上部に位置するフランジを、上向きに折り曲げる必要がある。そうすると、該フランジは、破損され易くなる。ですから、コネクタを再加工するためには、トランシーバーケージを、完全に取り出さなければならない。すると、コネクタを再加工する過程が複雑になる。そのようなトランシーバーの構造は特許文献２に記載されている。
【０００５】
従って、前記の欠点を克服するために新たな電気コネクタを設計する必要がある。
【特許文献１】米国特許第６，５１７，３８２号明細書
【特許文献２】米国特許第６，５０８，６７０号明細書
【発明の開示】
【発明が解決しようとする課題】
【０００６】
本発明は、再加工し易く、良好な電磁遮蔽の効果を有するコネクタモジュールを提供する。
【課題を解決するための手段】
【０００７】
本発明のコネクタモジュールは、信号コンバータを回路基板に電気的に接続する。該コネクタモジュールは、ハウジングと、コネクタと、移動可能な蓋体とを備える。前記ハウジングは、回路基板に挿入される複数の押圧端子と、信号コンバータを収容する複数の収容穴と、頂部開口と、頂部開口を貫通し、コネクタを収容する複数の収容槽と、複数の隔板と、セパレータとを有する。該収容穴と収容槽は、隔板とセパレータによって形成される。前記コネクタは、複数の収容槽に収容され、前記回路基板に挿入される複数の導電端子と、信号コンバータに対応する複数の端口とを有する。前記蓋体は、頂部開口をカバーする。
【発明の効果】
【０００８】
従来の技術と比べると、本発明には以下の長所がある。移動可能な蓋体は、頂部開口をカバーする。且つ、コネクタが収容される収容槽が、頂部開口を貫通する。蓋体が取り外されさえすれば、コネクタは、頂部開口から容易に抜き出される。そうすると、コネクタは、再加工し易く、且つ、良好な電磁遮蔽の効果を有する。
【発明を実施するための最良の形態】
【０００９】
図１を参照すると、本発明のコネクタモジュール１は、ハウジング３と、該ハウジング３に収容される複数のコネクタ２と、固定部品５と、信号変換器（図示せず）と、移動可能な蓋体４とを備える。
【００１０】
図１を参照すると、金属板からなるハウジング３は、頂壁３１と、底壁３３と、一対の側壁３２、３４と、後壁３７と、後壁３７に対向する開口と、前記壁３１、３２、３４、３７から形成される収容スペースと、収容スペースに挿入される四対の隔板３５と、三つのセパレータ３６と、側壁３２の底部から下向きに延設する押圧端子３２３とを有する。三つのセパレータ３６は、側壁３２、３４の間に、同じ距離で配置される。各セパレータ３６は、開口から後壁３７まで、底壁３３と垂直に延設される。各対の隔板３５は、互いに重なる二つの隔板から形成される。四対の隔板３５が、頂壁３１と底壁３３の中央に、後部へ水平に延設される。且つ、各対の隔板３５が、側壁３２、３４とセパレータ３６の間に、或いは二つのセパレータ３６の間に設置される。隔板３５の長さは、セパレータ３６の長さより短い。そして、ハウジング３の前部には、互いに垂直に設置されるセパレータ３６と隔板３５によって、八つの収容穴３０１が形成される。ハウジング３の後部には、互いに平行に配置されるセパレータ３６によって、四つの収容槽３０２が形成される。
【００１１】
図1、図３及び図５において、セパレータ３６は、金属板から製作される。各セパレータ３６は、上辺から突出するL状の係合部３６１と、下辺から延伸する押圧端子３６２と、上辺から突出する固定片３６３と、中間に開設される狭槽３６４とを有する。対応する狭槽３６４に挿入される各隔板３５の外表面には、弾力片３５１が、対向する収容穴３０１に向けて延伸している。各弾力片３５１には、開槽３５１１が開設されている。
【００１２】
セパレータ３６の固定片３６３は、頂壁３１から延伸し、垂直に折り曲げられ、頂壁３１の上表面に固着される。セパレータ３６は、固定片３６３によって、ハウジング３に、しっかりと固着される。ハウジング３は、良好な電気的特性を有する。
【００１３】
図1において、ハウジング３の頂壁３１の長さは、側壁３２、３４の長さより短い。そうすると、頂壁３１には、前記四つの収容槽３０２を貫通する頂部開口３０３が形成される。頂壁３１と側壁３２，３４は、外部に突出する複数の金属橋状体３１１と、各橋状体３１１の下方に開設されるスロット（符号示さず）と、複数の円孔３１２、３２２とを有する。側壁３２、３４には、又、内へ凹んでいる凹み３２１と、各凹み３２１に対応するスロット（符号示さず）とが設けられる。橋状体３１１と、円孔３１２、３２２と、凹み３２１とによって、放熱と電磁遮蔽の効果が得られる。
【００１４】
図４を参照すると、底壁３８は、四つの収容槽３０２に対応する四つの凹口３８１と、上向きに突出する複数の延伸端子３８２と、複数対の定位片３８３、３８４と、スロット３８５とを有する。押圧端子３２３が、対応するスロット３８５を貫通し、回路基板に挿入される。
【００１５】
図２において、ハウジング３の収容槽３０２に収容されるコネクタ２は、絶縁本体２０と、該絶縁本体２０に取り付けられ、挿入部２１１が設けられている複数の導電端子２１とを含む。絶縁本体２０は、主体部２０１と、主体部２０１から前へ伸出する相手部２０２とを有する。相手部２０２の前部には、第１、第２端口２０２１、２０２２が設けられている。主体部２０１の底部には、第３端口２０１１が開設されている。端子２１は、第１、第２端口２０２１、２０２２から第３端口２０１１まで延伸し、挿入部２１１は、第３端口２０１１から下向きに突出している。主体部２０１は、相手部２０２の上下両側に対称に配置される一対の当接部２２と、下向きに突伸する一対の定位柱２０３とを有する。その中で、当接部２２は、板状部２２１と、板状部２２１の両端から伸びる一対の弾力アーム２２２とを含む。板状部２２１と、一対の弾力アーム２２２によって囲まれるスペースは、ほぼ三角形になる。絶縁本体２０の側表面には、更に、一対の凹槽２０４が対称に開設されている。
【００１６】
図１において、移動可能な蓋体４は、矩形の頂板４１と、頂板４１の対向する一対の側辺から下向きに伸びる一対の側部４２と、頂板４１の上表面に開設される三つの矩形の凹部４１１と、各凹部４１１に開設され、係合部３６１と係合される係合槽４１１１とを有する。各側部４２には、内側へ突出し、円孔３２２に対応する凸点４２１が設けられている。
【００１７】
図１において、ほぼ矩形の固定部品５は、底壁（図示せず）と、底壁から上向きに延設する一対の延伸壁５２と、延伸壁５２から内側へ突伸する一対のフランジ５２１と、前記一対の延伸壁５２を連接する前壁５１と、U形の弾力部５１１とを有する。その中で、延伸壁５２の長さが、底壁の長さより長いことによって、底壁の末端には、コネクタ２の主体部２０１を収容する開口５４が形成される。U形の弾力部５１１は、一端が前壁５１と連接し、且つ、該前壁５１から内側に延伸している。他の一端は、折り曲げられ、外側へ伸び、且つ、前壁５１を越えて突出している。外側へ伸びている一端の上表面には、弾力片３５１の開槽３５１１に嵌め込まれる凸塊５１１１が設けられている。
【００１８】
コネクタモジュール１を取り付ける時、先ず、コネクタ２が対応する収容槽３０２に収容される。コネクタ２の導電端子２１が、底壁３８の凹口３８１を貫通し、回路基板に挿入される。次に、一対の対向する固定部品５が、上下に配置されている一対の収容穴３０１に挿入され、両対の延伸壁５２が、各々、各コネクタ２の側表面をカバーし、両対のフランジ５２１が、各々、凹槽２０４の上側と下側に接して移動し、底壁の末端が、各々、対応する当接部２２の弾力アーム２２２に押し付けられる。そして、信号コンバータが、収容穴３０１に装入され、延伸端子３８２と、コネクタ２の第１、第２端口２０２１、２０２２とに電気的に接続される。この状態で、ほこりを遮る前壁５１が、収容穴３０１の開口をカーバし、凸塊５１１１が、対応する開槽３５１１に係合される。蓋体４が、頂部開口３０３をカバーして、側部４２が、ハウジング３の側壁３２を覆って、凸点４２１が、円孔３２２に嵌め込まれる。セパレータ３６の係合部３６１が、蓋体４の係合槽４１１１に挿入される。最後に、コネクタ２と、蓋体４と、固定部品５とが組み合わせられたコネクタモジュール１が、回路基板に固着される。ハウジング３の押圧端子３２３、３６２と、コネクタ２の導電端子２１が、各々対応するスロット３８５と、定位片３８３，３８４と、凹口３８１とを貫通し、回路基板に電気的に接続される。
【００１９】
図１において、コネクタ２を取り外す時、先ず、固定部品５を取り外す。弾力部５１１を固定部品５の底壁の向きに押圧する。凸塊５１１１が、対応する開槽３５１１から外れる。信号コンバータ、或いは固定部品５が、弾力アーム２２２の弾力作用によって、収容穴３０１から、滑り出される。次に、蓋体４が、ハウジングから取り外される。この時、コネクタ２は、他の工具で、頂部開口３０３から容易に抜き出される。
【００２０】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００２１】
本発明はコネクタモジュールに関し、特に、再加工し易く、良好な電磁遮蔽の効果を有するコネクタモジュールに関するものである。
【図面の簡単な説明】
【００２２】
【図１】本発明のコネクタモジュールの分解斜視図である。
【図２】本発明のコネクタモジュールのコネクタの斜視図である。
【図３】本発明のコネクタモジュールのセパレータの斜視図である。
【図４】本発明のコネクタモジュールの底壁の斜視図である。
【図５】本発明のコネクタモジュールの頂壁の拡大図である。
【符号の説明】
【００２３】
１  コネクタモジュール
２  コネクタ
３  ハウジング
４  蓋体
５  固定部品
２０  絶縁本体
２１  導電端子
２２  当接部
３１  頂壁
３２、３４  側壁
３３  底壁
３５  隔板
３６  セパレータ
３７  後壁
４１  頂板
４２  側部
５１  前壁
５２  延伸壁
５４  開口
２０１  主体部
２０２  相手部
２０３  定位柱
２０４  凹槽
２１１  挿入部
２２１  板状部
２２２  弾力アーム
３０１  収容スペース
３０２  収容槽
３０３  頂部開口
３１１、３２１  橋状体
３１２、３２２  円孔
３２１  凹み
３５１  弾力片
３６１  係合部
３２３、３６２  押圧端子
３６３  固定片
３６４  狭槽
３８１  凹口
３８２  延伸端子
３８３、３８４  定位片
３８５  スロット
４１１  凹部
４２１  凸点
５１１  弾力部
５２１  フランジ
２０１１  第３端口
２０２１  第１端口
２０２２  第２端口
３５１１  開槽
４１１１  係合槽
５１１１  凸塊
【図１】
2006228701.tif 000003
【図２】
2006228701.tif 000004
【図３】
2006228701.tif 000005
【図４】
2006228701.tif 000006
【図５】
2006228701.tif 000007